(57)【要約】  本明細書では換気マスクが説明される。換気マスクがマスク・ボディ及びガス・マニホルドを有する。マスク・ボディが患者用キャビティを画定し、患者用キャビティと流体連通している患者用開口部と、マスク・ボディを通るように形成される少なくとも１つの通気開口部であって、少なくとも１つの通気開口部が患者用キャビティと流体連通しており、少なくとも１つの通気開口部が患者用開口部の概して反対側に配置される、少なくとも１つの通気開口部と、をさらに有する。ガス・マニホルドがマスク・ボディに結合される。ガス・マニホルドがガス・チャネルを画定することができる。ガス・マニホルドが、ガス・チャネルと流体連通している複数のベクタード・ガス・ポートを有することができ、複数のベクタード・ガス・ポートが、患者用キャビティ内で少なくとも１つの通気開口部に隣接するガス・カーテンを形成するために患者用キャビティ内でカーテン効果のあるガス流れを作り出すように構成される。
2021531863.tif 000002
【特許請求の範囲】
【請求項１】
患者用キャビティを画定するマスク・ボディであって、
前記患者用キャビティと流体連通する患者用開口部、及び
前記患者用キャビティと流体連通する、前記マスク・ボディを通して形成された少なくとも１つの通気開口部であって、前記患者用開口部の概して反対側に配置される少なくとも１つの通気開口部
を有する、マスク・ボディと、
前記マスク・ボディに結合されるガス・マニホルドであって、前記ガス・マニホルドはガス・チャネルを画定し、また前記ガス・マニホルドは、前記ガス・チャネルと流体連通する複数のベクタード・ガス・ポートを有し、前記複数のベクタード・ガス・ポートは、前記患者用キャビティ内に且つ前記少なくとも１つの通気開口部に隣接してガス・カーテンを形成するために、前記患者用キャビティ内にカーテン効果ガス流を作り出すように構成されている、ガス・マニホルドと
を有する、換気マスク。
【請求項２】
前記複数のベクタード・ガス・ポートのうちの少なくとも１つのベクタード・ガス・ポートが、テーパ状の幾何形状、スロット状の断面、及び円形断面からなる群から選択される幾何形状を有する、請求項１に記載の換気マスク。
【請求項３】
前記ガス・マニホルドが前記マスク・ボディの前記患者用キャビティ内に配置される、請求項１に記載の換気マスク。
【請求項４】
前記ガス・チャネルが、前記ガス・マニホルド及び前記マスク・ボディによって協働して画定される、請求項３に記載の換気マスク。
【請求項５】
前記ガス・マニホルドが、前記ガス・チャネルを画定するために前記マスク・ボディの内側表面に密閉的に係合される、請求項４に記載の換気マスク。
【請求項６】
前記マスク・ボディの前記内側表面が、前記ガス・マニホルドを係合させて前記ガス・チャネルを画定するために、相補的なガス・マニホルド係合輪郭を有する、請求項５に記載の換気マスク。
【請求項７】
前記ガス・マニホルドに結合される採取カバーをさらに有する、請求項１に記載の換気マスク。
【請求項８】
前記採取カバーが採取チャネルを画定し、また前記採取カバーが、前記採取チャネルと流体連通する少なくとも１つの採取ポータルを有し、前記患者用キャビティ内の前記カーテン効果ガス流が、試料ガス流を前記採取ポータルに向けて誘導する、請求項７に記載の換気マスク。
【請求項９】
前記少なくとも１つの採取ポータルが前記少なくとも１つの通気開口部に隣接して配置される、請求項８に記載の換気マスク。
【請求項１０】
前記少なくとも１つの採取ポータルが、フード、スクープ、又はシュラウド構造部を有する、請求項９に記載の換気マスク。
【請求項１１】
前記ガス・マニホルドが、前記採取チャネルと流体連通する検出ポート導管を有し、前記検出ポート導管が前記ガス・チャネルを通って延びている、請求項８に記載の換気マスク。
【請求項１２】
前記ガス・マニホルドが、前記検出ポート導管の反対側に配置され且つ少なくとも部分的に前記ガス・チャネルを通って延びる突出部を有する、請求項１１に記載の換気マスク。
【請求項１３】
前記採取カバーが前記ガス・マニホルドに溶着される、請求項７に記載の換気マスク。
【請求項１４】
前記少なくとも１つの通気開口部が下側通気開口部を有し、前記ガス・マニホルドが前記下側通気開口部の周りに配置される、請求項１に記載の換気マスク。
【請求項１５】
前記マスク・ボディに結合される変色インジケータをさらに有し、前記変色インジケータが二酸化炭素への露出に反応して変色するように構成される、請求項１に記載の換気マスク。
【請求項１６】
前記ガス・マニホルドが前記マスク・ボディに溶着される、請求項１に記載の換気マスク。
【請求項１７】
前記マスク・ボディが、前記マスク・ボディの縁部に沿って配置される接触シールを有する、請求項１に記載の換気マスク。
【請求項１８】
前記接触シールが内側に巻いている部分又は外側に巻いている部分を有する、請求項１７に記載の換気マスク。
【請求項１９】
前記マスク・ボディに結合されるストラップをさらに有し、
前記ストラップが、
前記マスク・ボディに結合されるマスク部分と、
前記マスク部分から延びる上側部分及び下側部分と
を有する、請求項１に記載の換気マスク。
【請求項２０】
前記ストラップの前記マスク部分が、分離して前記上側部分及び前記下側部分の長さを伸ばすように構成されたミシン目付き分離エリアを有する、請求項１９に記載の換気マスク。
【請求項２１】
患者用キャビティを画定するマスク・ボディであって、
前記患者用キャビティと流体連通する患者用開口部、
前記患者用キャビティと流体連通する、前記マスク・ボディを通して形成された少なくとも１つの通気開口部であって、前記患者用開口部の概して反対側に配置される少なくとも１つの通気開口部、及び
前記少なくとも１つの通気開口部に隣接して配置される少なくとも１つのガス・フェンスであって、前記患者用開口部に向かって、軸方向に延びる少なくとも１つのガス・フェンス
を有する、マスク・ボディと、
前記マスク・ボディに結合されるガス・マニホルドであって、前記ガス・マニホルドはガス・チャネルを画定し、また前記ガス・マニホルドは、前記ガス・チャネルと流体連通する複数のガス・ポートを有している、ガス・マニホルドと
を有する、換気マスク。
【請求項２２】
前記複数のガス・ポート及び前記少なくとも１つのガス・フェンスが、前記患者用キャビティ内に且つ前記少なくとも１つの通気開口部に隣接して酸素カーテンを形成又は維持するために、前記患者用キャビティ内にカーテン効果ガス流を作り出すように構成され、前記酸素カーテンが、３０％から８０％の間の酸素濃度を有している、請求項２１に記載の換気マスク。
【請求項２３】
前記少なくとも１つの通気開口部が、横方向に離間された第１及び第２の通気開口部を有し、前記少なくとも１つのガス・フェンスが、前記第１の通気開口部に隣接する第１のガス・フェンス、及び前記第２の通気開口部に隣接する第２のガス・フェンスを有する、請求項２１に記載の換気マスク。
【請求項２４】
前記第１のガス・フェンスが少なくとも部分的に前記第１の通気開口部の周りで周方向に延び、前記第２のガス・フェンスが少なくとも部分的に前記第２の通気開口部の周りで周方向に延びる、請求項２３に記載の換気マスク。
【請求項２５】
換気マスク内にガスを導入する方法であって、
複数のガス・ポートを介して前記換気マスクの患者用キャビティ内に前記ガスを導入するステップと、
カーテン効果ガス流を作り出すように前記複数のガス・ポートを介して前記ガスを方向付けるステップと、
前記患者用キャビティ内に且つ前記換気マスクの少なくとも１つの通気開口部に隣接してガス・カーテンを形成するステップと
を含む、方法。
【請求項２６】
前記少なくとも１つの通気開口部に隣接して配置されたガス・フェンスによって前記少なくとも１つの通気開口部から離れる方に前記カーテン効果ガス流を方向付けるステップをさらに含む、請求項２５に記載の方法。
【請求項２７】
前記換気マスクのガス・マニホルド及びマスク・ボディにより協働して画定されるガス・チャネルを介して前記複数のガス・ポートまで前記ガスを誘導するステップをさらに含む、請求項２５に記載の方法。
【請求項２８】
前記患者用キャビティから採取ポータルを介して試料ガス流を受け取るステップをさらに含む、請求項２５に記載の方法。
【請求項２９】
２．０％を超えるパーセンテージの二酸化炭素を有する前記試料ガス流を測定するステップをさらに含む、請求項２８に記載の方法。
【請求項３０】
前記換気マスクに結合される変色インジケータによって二酸化炭素に対する露出を視覚的に表示するステップをさらに含む、請求項２５に記載の方法。
【請求項３１】
前記患者用キャビティ内の前記ガスに、４０％を超える吸気酸素量の割合を提供するステップをさらに含む、請求項２５に記載の方法。
【請求項３２】
医療処置を実施するために前記少なくとも１つの通気開口部を通して前記患者用キャビティにアクセスするステップをさらに含む、請求項２５に記載の方法。
【請求項３３】
前記少なくとも１つの通気開口部を通して気管支鏡検査を実施するステップをさらに含む、請求項３２に記載の方法。
【発明の詳細な説明】
【技術分野】
【０００１】
本出願は、「ＶＥＮＴＩＬＡＴＩＯＮ  ＭＡＳＫ」と題する、２０１８年１１月３０日に出願した米国仮出願第６２／７７３，８２０号、及び「ＶＥＮＴＩＬＡＴＩＯＮ  ＭＡＳＫ」と題する、２０１８年７月３１日に出願した米国仮出願第６２／７１２，９３３号からの優先権を主張するものである。
【０００２】
本開示は、一般に、換気マスクに関し、より詳細には、通気開口部を備える換気マスクに関する。
【背景技術】
【０００３】
患者への補給ガス（ｓｕｐｐｌｅｍｅｎｔａｌ  ｇａｓ）（例えば、空気又は酸素）のデリバリー（送達）は多くの病気及び状態のためのよく知られている治療である。呼吸困難を患う患者の場合、酸素が酸素供給装置（例えば、圧力シリンダなど）からレギュレータ及び換気マスクを通して提供され得る。換気マスクは、医療処置、摂食、摂水、衛生管理を可能にするため、及び閉所恐怖症を防止するための開口部を有することができる。
【０００４】
いくつかの用途では、開口部を有する換気マスクを用いた補給ガスの送達及び／又は呼気ガスの採取が困難となる可能性がある。
【発明の概要】
【０００５】
開示される主題は、通気開口部（ｖｅｎｔ  ｏｐｅｎｉｎｇ）を備える換気マスクに関する。特定の実施例では、換気マスクが開示され、換気マスクは、
患者用キャビティを画定するマスク・ボディであって、患者用キャビティと流体連通している患者用開口部と、マスク・ボディを通るように形成された少なくとも１つの通気開口部であって、少なくとも１つの通気開口部が患者用キャビティと流体連通しており、少なくとも１つの通気開口部が患者用開口部の概して反対側に配置される、少なくとも１つの通気開口部とを有するマスク・ボディ、及び
マスク・ボディに結合されるガス・マニホルドであって、ガス・マニホルドはガス・チャネルを画定し、ガス・マニホルドは、ガス・チャネルと流体連通している複数のベクタード・ガス・ポート（すなわち、方向付けられたガス・ポート）を有し、複数のベクタード・ガス・ポートは、患者用キャビティ内で少なくとも１つの通気開口部に隣接するガス・カーテンを形成するために患者用キャビティ内でカーテン効果のあるガス流れ（カーテン効果ガス流）を作り出すように構成される、ガス・マニホルド、を有する。
【０００６】
特定の実施例では、換気マスクが開示され、換気マスクは、
患者用キャビティを画定するマスク・ボディであって、患者用キャビティと流体連通している患者用開口部と、マスク・ボディを通るように形成された少なくとも１つの通気開口部であって、少なくとも１つの通気開口部が患者用キャビティと流体連通しており、少なくとも１つの通気開口部が患者用開口部の概して反対側に配置される、少なくとも１つの通気開口部とを有するマスク・ボディ、
少なくとも１つの通気開口部に隣接して配置される少なくとも１つのガス・フェンスであって、患者用開口部に向かって軸方向に延在する、少なくとも１つのガス・フェンス、及び
マスク・ボディに結合されるガス・マニホルドであって、ガス・マニホルドはガス・チャネルを画定し、ガス・マニホルドは、ガス・チャネルと流体連通している複数のガス・ポートを有する、ガス・マニホルド、を有する。
【０００７】
特定の実施例では、換気マスクの中にガスを導入する方法が開示され、この方法は、複数のガス・ポートを介して換気マスクの患者用キャビティの中にガスを導入することと、カーテン効果のあるガス流れを作り出すために複数のガス・ポートを介してガスを誘導することと、患者用キャビティ内で換気マスクの少なくとも１つの通気開口部に隣接するガス・カーテンを形成することとを含む。
【０００８】
特定の実施例では、換気マスクの中にガスを導入する方法が開示され、この方法は、複数のガス・ポートを介して換気マスクの患者用キャビティの中にガスを導入することと、採取ポータルを介して患者用キャビティから試料ガス流れ（ｓａｍｐｌｅ  ｇａｓ  ｆｌｏｗ）を受け取ることとを含む。
【０００９】
本開示から、本主題の技術の多様な構成が当業者には容易に明らかとなり、本主題の技術の多様な構成が例示的に示されて説明されることを理解されたい。理解されるであろうが、本主題の技術は他の異なる構成が可能であり、その複数の細部は、すべて本主題の技術の範囲から逸脱することなく、種々の他の点において、変更可能である。したがって、発明の概要、図面、及び発明を実施するための形態は本質的に例示的であるとみなされるべきであり、限定的であるとみなされるべきではない。
【００１０】
本明細書の一部に組み込まれて本明細書の一部を構成する、さらなる理解を可能にするために含まれる添付図面が、開示される実施例を示し、本記述と併せて、開示される実施例の原理を説明する働きをする。
【図面の簡単な説明】
【００１１】
【図１】本開示の種々の態様による、換気マスクの実施例を示す正面斜視図である。
【図２】本開示の種々の態様による、図１の換気マスクのマスク・ボディを示す背面図である。
【図３】本開示の種々の態様による、図２のマスク・ボディを示す背面斜視図である。
【図４】本開示の種々の態様による、断面線４−４に沿う図２のマスク・ボディを示す断面図である。
【図５】本開示の種々の態様による、図２のガス・マニホルド及びマスク・ボディを示す分解図である。
【図６】本開示の種々の態様による、図２のガス・マニホルドを示す正面図である。
【図７】本開示の種々の態様による、図２のマスク・ボディを示す背面図である。
【図８】本開示の種々の態様による、換気マスクのための、酸素流量と比較される吸気酸素の割合を示すチャートである。
【図９】本開示の種々の態様による、換気マスクのための、酸素流量と比較される吸気酸素の割合を示すチャートである。
【図１０】本開示の種々の態様による、換気マスクのための、酸素流量と比較される吸気酸素の割合を示すチャートである。
【図１１】本開示の種々の態様による、換気マスクの別の実施例を示す正面斜視図である。
【図１２】本開示の種々の態様による、図１１の換気マスクのマスク・ボディを示す背面図である。
【図１３Ａ】本開示の種々の態様による、断面線１３Ａ−１３Ａに沿う図１２のマスク・ボディを示す断面図である。
【図１３Ｂ】本開示の種々の態様による、図１３Ａのマスク・ボディを示す詳細図である。
【図１４】本開示の種々の態様による、図１２の採取カバー及びガス・マニホルドを示す分解図である。
【図１５】本開示の種々の態様による、図１２の採取カバーを示す正面図である。
【図１６Ａ】本開示の種々の態様による、図１２のガス・マニホルドを示す背面図である。
【図１６Ｂ】本開示の種々の態様による、図１６Ａのガス・マニホルドを示す正面図である。
【図１６Ｃ】本開示の種々の態様による、図１６Ａのガス・マニホルドを示す正面図である。
【図１７】本開示の種々の態様による、換気マスクのための、酸素流量と比較される測定された二酸化炭素を示すチャートである。
【図１８】本開示の種々の態様による、換気マスクのための、酸素流量と比較される測定された二酸化炭素を示すチャートである。
【図１９】本開示の種々の態様による、換気マスクのための、酸素流量と比較される測定された二酸化炭素を示すチャートである。
【図２０Ａ】本開示の種々の態様による、換気マスクを示す背面斜視図である。
【図２０Ｂ】本開示の種々の態様による、換気マスクを示す上面断面図である。
【図２０Ｃ】本開示の種々の態様による、換気マスクを示す上面断面図である。
【図２１】本開示の種々の態様による、換気マスクを示す立面図である。
【図２２】本開示の種々の態様による、換気マスクを示す立面図である。
【発明を実施するための形態】
【００１２】
開示される換気マスクが、オープン・マスク構造を用いて患者に酸素又は他のガスをデリバリーするための構成（ｆｅａｔｕｒｅ）を組み込む。この換気マスクは、オープン・マスク構造であるにもかかわらず、流体力学を利用して高濃度の酸素又は他のガスを患者に提供することができる。さらに、この換気マスクは、流体力学を利用して患者によって呼気されるガスを測定又は採取することができる。
【００１３】
以下に記載される詳細な説明は本主題の技術の多様な構成の説明であることを意図され、本主題の技術を実施することができる構成のみを表すことを意図されない。この詳細な説明は、本主題の技術を徹底的に理解するのを可能にすることを目的として具体的な詳細を含む。しかし、主題の技術がこれらの具体的な詳細なしでも実施され得ることが当業者には明白であろう。いくつかの例では、本主題の技術の概念を不明瞭にするのを回避するために、よく知られている構造及び構成要素がブロック図の形態で示される。理解を容易にするために、同様の構成要素には同一の要素番号が付される。参照番号は、共通の要素の別個の例を示すために付される添え字を有する場合があり、これらは添え字を有さない同じ番号によって総称的に参照される。
【００１４】
以下の説明は、開示される換気マスクを使用して医者により患者に対して補給ガスを投与することを対象とするが、本説明が単に１つの使用例であり、特許請求の範囲を限定しないことを理解されたい。開示される換気マスクの種々の態様が、ガスを投与及び／又は採取することが所望されるような任意の用途で使用され得る。
【００１５】
開示される換気マスクは特定の換気マスクに関連して発見された複数の課題を克服するものである。特定の従来の換気マスクの１つの課題は、高濃度の酸素又は他のガスがオープン・マスク構造を使用して患者に投与され得ないことである。高濃度の酸素又は他のガスをデリバリーすることが必要とされる可能性があるため、従来の換気マスクを使用することは望ましくない。特定の従来の換気マスクの別の課題は、患者によって呼気されるガスをオープン・マスク構造の使用時に採取及び／又は測定することが困難である可能性があることである。ガスの投与中に呼気ガスの採取又は測定が必要となる可能性があるため、従来の換気マスクを使用することは望ましくない。
【００１６】
したがって、本開示によると、オープン・マスク構造を可能にしながら高濃度の酸素又は他のガスを投与するのを可能にする本明細書で説明されるような換気マスクを提供することが有利である。開示される換気マスクが、患者に向けて及び換気マスクの通気開口部から離れる方にガス流れを誘導するためのガス・ポート及び／又はガス・フェンスを提供する。さらに、オープン・マスク構造を可能にしながら呼気ガスを採取するのを可能にする本明細書で説明されるような換気マスクを提供することが有利である。開示される換気マスクが、換気マスク内の採取ポートに向けて呼気ガスを誘導するガス流れを提供する。
【００１７】
ここで、オープン・マスク構造を維持しながら高濃度の酸素又は他のガスを可能にする及び／又は呼気ガスの採取を可能にする換気マスクの実例を説明する。
【００１８】
図１は、本開示の種々の態様による、換気マスク１００の正面斜視図である。描かれる実例では、換気マスク１００が、酸素又は他の補給ガスを患者に投与するために利用され得る。換気マスク１００が、酸素などの補給ガスを、供給ガス・ポート１１４を介する形で、供給管１０２を介して換気マスク１００に誘導することができる。本明細書で説明されるように、ガス・マニホルドがマスク・ボディ１１０を通して患者に補給ガスを分配することができる。
【００１９】
示されるように、換気マスク１００が、患者の口及び鼻の上で、患者によって着用され得る。換気マスク１００が、患者の頭部の上で着用されるストラップ１０４により患者に取り付けられ得る。ストラップ１０４が、マスク・ボディ１００内に形成されるストラップ開口部１１２でマスク・ボディ１１０に結合され得る。
【００２０】
描かれる実例では、換気マスク１００が、概略のオープン・マスク構造を有することができる。示されるように、マスク・ボディ１１０が、貫通するように形成される１つ又は複数の通気開口部１２０ａ、１２０ｂを有する。通気開口部１２０ａ、１２０ｂ、１２０ｃが、マスク・ボディ１１０によって画定される患者用キャビティへのアクセス又はその流体連通を可能にすることができる。いくつかの実施例では、マスク・ボディ１１０が３つの通気開口部１２０ａ、１２０ｂ、１２０ｃを有する。上側の通気開口部１２０ａ、１２０ｂが、換気マスク１００の着用時、患者の鼻に隣接するように位置決めされ得る。さらに、上側の通気開口部１２０ａ、１２０ｂが、換気マスク１００の着用時、横方向において患者の鼻の両側において離間され得る。下側の通気開口部１２０ｃが、換気マスク１００の着用時、患者の口に隣接するように位置決めされ得る。
【００２１】
有利には、１つ又は複数の通気開口部１２０ａ、１２０ｂ、１２０ｃを利用することにより、換気マスク１００が、二酸化炭素などの呼気ガスを換気マスクの患者用キャビティから除去するのを可能にすることができ、それにより二酸化炭素再呼吸の発生を低減する。さらに、通気開口部１２０ａ、１２０ｂ、１２０ｃが、換気マスク１００を取り外すことなく種々のタスクを実施するのを可能にすることができる。タスクには、限定しないが、医療手技、摂食、飲用、衛生管理手技、及び／又は会話が含まれてよい。例えば、通気開口部１２０ａ、１２０ｂ、１２０ｃが、鼻腔及び／又は口腔による気管支鏡検査、薬剤の投与、並びにマウスピース及び／又はネブライザーのためのアクセスを可能にすることができる。さらに、換気マスク１００のオープン構造が、種々の顔面特徴に対応して患者の閉所恐怖症を軽減することにより、患者の快適さを向上させることができる。
【００２２】
図２は、本開示の種々の態様による、図１の換気マスク１００のマスク・ボディ１１０の背面図である。いくつかの用途では、マスク・ボディ１１０が、補給ガスを患者に投与するのを可能にするために患者の口及び鼻の上で着用されるように構成される。マスク・ボディ１１０の患者用開口部１１６が患者の顔に係合され得る。任意選択で、患者用開口部１１６が患者に密閉係合され得る。
【００２３】
描かれる実例では、マスク・ボディ１１０が患者の口及び鼻の上で患者用キャビティ１１８を画定する。本明細書で説明されるように、補給ガスが患者用キャビティ１１８の中に導入及び誘導され得る。さらに、通気開口部１２０ａ、１２０ｂ、１２０ｃが患者用キャビティ１１８と流体連通していてもよい。
【００２４】
いくつかの実施例では、マスク・ボディ１１０がポリマーなどの柔らかい材料から形成され得る。マスク・ボディ１１０が、多種多様な顔面特徴に対してマスク・ボディ１１０が対応するのを可能にするために適合し得る。
【００２５】
描かれる実例では、補給ガスが１つ又は複数のポート１３２ａ、１３２ｂを介して患者用キャビティ１１８の中に導入され得る。ガス・ポート１３２ａ、１３２ｂが、マスク・ボディ１１０の患者用キャビティ１１８内に配置されるガス・マニホルド１３０内に形成され得る。
【００２６】
いくつかの用途では、通気開口部１２０ａ、１２０ｂ、１２０ｃが患者用キャビティ１１８と流体連通しているにもかかわらず、ガス・ポート１３２ａ、１３２ｂが高濃度の補給ガスを患者用キャビティ１１８に及び最終的には患者に投与することができる。
【００２７】
示されるように、ガス・ジェット又はガス・ポート１３２ａ、１３２ｂが、患者の鼻及び／又は口に向けて且つ通気開口部１２０ａ、１２０ｂ、１２０ｃから離れる方にガス流れ及び／又は流れ経路を作り出して誘導する。描かれる実例では、ガス・ポート１３２ａ、１３２ｂが、ガス流れを所望の方向に誘導するように方向付けられる。動作中、ガス・ポート１３２ａ、１３２ｂが、流体力学特性を利用して通気開口部１２０ａ、１２０ｂ、１２０ｃを介して患者用キャビティ１１８に入る環境ガスに対するバリア又は境界として機能しながら、患者の口及び鼻に向けてガス流れを誘導する「カーテン効果」によるガス流れ（例えば、分配される流れ）又はガス・カーテンを発生させることができる。いくつかの実施例では、ガス・カーテンによって形成される境界が、通気開口部１２０ａ、１２０ｂ、１２０ｃ、並びに患者の口及び鼻などの患者の呼吸のための解剖学的構造（ｂｒｅａｔｈｉｎｇ  ａｎａｔｏｍｙ）の間に配置され得るか又はそれらに隣接するように配置され得る。動作中、ガス流れによって形成される境界が、周囲ガス又は環境ガスとの混合を低減しながら、保護される一定のボリュームの補給ガスを作り出すことができる。
【００２８】
示されるように、ガス・ポート１３２ａ、１３２ｂが、ガス流れを所望されるように誘導するための種々の幾何学的構造部を有することができる。例えば、ガス・ポート１３２ａが、細長いスロット状の幾何形状（ジオメトリ）、断面、又は輪郭（プロファイル）を有することができる。任意選択で、ガス・ポート１３２ａが円形縁部をさらに有することができる。いくつかの実施例では、ガス・ポート１３２ａが、そこを通してガス流れを誘導するためにテーパ状であってよい。例えば、ガス・ポート１３２ａが患者に向けて軸方向においてテーパ状であってよい。
【００２９】
さらに、ガス・ポート１３２ｂが、円形の幾何形状、断面、又は輪郭を有することができる。いくつかの実施例では、ガス・ポート１３２ｂが、そこを通してガス流れを誘導するためにテーパ状であってよい。例えば、ガス・ポート１３２ｂが患者に向けて軸方向においてテーパ状であってよい。
【００３０】
加えて、いくつかの実施例では、ガス・ポート１３２ａ、１３２ｂが、ガーテン効果によるガス流れ及び高濃度の補給ガスを促進するように配置され得る。例えば、ガス・ポート１３２ａが、通気開口部１２０ｃの上側縁部の周りに概して円周状に、ガス・マニホルド１３０上に配置され得る。さらに、ガス・ポート１３２ｂが、通気開口部１２０ｃの上側縁部で、ガス・マニホルド１３０の上で集まっていてよい。本開示のいくつかの実施例では、ガス・ポート１３２ａ及びガス・ポート１３２ｂのいずれかが通気開口部１２０ａ、１２０ｂ、１２０ｃの間に配置され得る。いくつかの実施例では、ガス・ポート１３２ｂがガス・ポート１３２ａの間に配置され得るか又はガス・ポート１３２ｂの横にガス・ポート１３２ａが配置され得る。任意選択で、ガス・ポート１３２ａ、１３２ｂが、患者の口の口角までの患者の上唇領域の形状に従うように構成され得る。
【００３１】
有利には、ガス・ポート１３２ａ、１３２ｂの配置及び幾何学的構造部が本明細書で説明されるガーテン効果によるガス流れを提供することができる。ガス・ポート１３２ａ、１３２ｂによって提供される誘導されるガス流れを利用することにより、換気マスク１００の着用時に患者の近位において、患者用キャビティの中まで延在するシュノーケル又は他の構造を使用することなく、補給ガスが変化する顔面特徴を有する患者に誘導され得る。
【００３２】
ガス・ポート１３２ｂが、約０．０２５４ｃｍ（０．０１インチ）から０．２５４ｃｍ（０．１インチ）の間の直径を有することができる。いくつかの実施例では、ガス・ポート１３２ｂが、約０．１５７ｃｍ（０．０６２インチ）の直径を有する。いくつかの実施例では、隣接するガス・ポート１３２ｂが約０．０２５４ｃｍ（０．０１インチ）から１．９１ｃｍ（０．７５インチ）の間で離間される。いくつかの実施例では、隣接するガス・ポート１３２ｂが、第１の方向において、約０．２５４ｃｍ（０．１インチ）で離間され、隣接するガス・ポート１３２ｂが、第１の方向とは異なる第２の方向において、約０．５０８ｃｍ（０．２インチ）で離間される。いくつかの実施例では、細長いガス・ポート１３２ａが、約０．３３０ｃｍ（０．１３インチ）から１．９１ｃｍ（０．７５インチ）の間の長さと、約０．０２５４ｃｍ（０．０１インチ）から０．３８１ｃｍ（０．１５インチ）の間の幅とを有する。いくつかの実施例では、第１のガス・ポート１３２ａが約０．６６０ｃｍ（０．２６インチ）の長さを有し、第２のガス・ポートが約０．７６２ｃｍ（０．３インチ）の長さを有する。
【００３３】
任意選択で、マスク・ボディ１１０が、患者が呼吸しているかどうかの視覚的表示を提供するための１つ又は複数のブレス・インジケータ１１１ａ、１１１ｂ、１１１ｃを有することができる。例えば、ブレス・インジケータ１１１ａ、１１１ｂ、１１１ｃが、呼気される二酸化炭素に反応して視覚的表示を提供することができる。
【００３４】
いくつかの実施例では、ブレス・インジケータ１１１ａ、１１１ｂ、１１１ｃが変色するストリップ又はパッチ或いは比色分析の媒体である。例えば、ブレス・インジケータ１１１ａ、１１１ｂ、１１１ｃが変色する媒体ペーパーを有することができる。動作中、ブレス・インジケータ１１１ａ、１１１ｂ、１１１ｃが二酸化炭素の存在時に反応を経ることができ、それによりブレス・インジケータ１１１ａ、１１１ｂ、１１１ｃ内で変色を引き起こす。
【００３５】
いくつかの実施例では、ブレス・インジケータ１１１ａ、１１１ｂ、１１１ｃが二酸化炭素の非存在時に青色を提示することができ、二酸化炭素の存在時に黄色を提示することができる。有利には、ブレス・インジケータ１１１ａ、１１１ｂ、１１１ｃが二酸化炭素の存在に迅速に反応することができ、それにより、ブレス・インジケータ１１１ａ、１１１ｂ、１１１ｃが呼吸毎に変色することが可能となる（例えば、各呼吸での青色から黄色の間のサイクル、又は各呼吸での透明と不透明との間のサイクル）。さらに、患者の息に反応して変色することにより、ブレス・インジケータ１１１ａ、１１１ｂ、１１１ｃが、患者が呼吸しているかどうかを又は患者用キャビティ１１８内の二酸化炭素の増加を、遠くから視覚的に表示することができる。
【００３６】
いくつかの実施例では、ブレス・インジケータ１１１ａ、１１１ｂ、１１１ｃが、患者の呼気に対して露出される領域において、マスク・ボディ１１０の周りに配置される。示されるように、ブレス・インジケータ１１１ａ、１１１ｂ、１１１ｃが、患者の鼻及び／又は口からの患者の呼気を受け取ることができる。例えば、ブレス・インジケータ１１１ａが、患者の鼻の近くの、ガス・フェンス１４０ａ、１４０ｂの間に配置され得る。さらに、いくつかの実施例では、ブレス・インジケータ１１１ｂ、１１１ｃが、それぞれ、ガス・フェンス１４０ａ、１４０ｂの上に配置され得る。有利には、本明細書で説明される換気マスクの実施例が、毎分０リットルから１、２、３、５、８、１０、１２、１４、１６、１８、又は２０リットルの範囲の補給ガス流量でブレス・インジケータ１１１ａ、１１１ｂ、１１１ｃにより患者の呼吸の合図を出すのを可能にする。
【００３７】
任意選択で、ブレス・インジケータ１１１ａ、１１１ｂ、１１１ｃが紙ベースのインジケータを有することができる。ブレス・インジケータ１１１ａ、１１１ｂ、１１１ｃが二次構造を用いてマスク・ボディ１１０に固定又は結合され得る。いくつかの実施例では、ブレス・インジケータ１１１ａ、１１１ｂ、１１１ｃがマスク・ボディ１１０の内部表面に接合され得る。任意選択で、ブレス・インジケータ１１１ａ、１１１ｂ、１１１ｃがマスク・ボディ１１０の中にオーバーモールドされ得る。いくつかの実施例では、ブレス・インジケータ１１１ａ、１１１ｂ、１１１ｃが介護者又は臨床医によってマスク・ボディ１１０を通して視認され得る。
【００３８】
有利には、ブレス・インジケータ１１１ａ、１１１ｂ、１１１ｃを提供することにより、胸壁運動が不十分である可能性がある場合及びパルス酸素濃度計などの他のインジケータが遅行指標である可能性がある場合、介護士及び臨床医が患者が呼吸しているかどうかを容易に判断することができる。いくつかの用途では、ブレス・インジケータ１１１ａ、１１１ｂ、１１１ｃが呼吸状態の警告を臨床医に適時提供することができる。
【００３９】
図３は、本開示の種々の態様による、図２のマスク・ボディ１１０の斜視図である。図２及び３を参照すると、マスク・ボディ１１０及び／又はガス・マニホルド１３０から延在するガス・フェンス１４０ａ、１４０ｂ、１４０ｃが、ガス・ポート１３２ａ、１３２ｂからの補給ガス流れの制御及び／又は誘導を補助することができる。さらに、ガス・フェンス１４０ａ、１４０ｂ、１４０ｃが、補給ガスのカーテン効果のあるガス流れを促進することができ、さらには患者用キャビティ１１８の中への環境空気の取り込みを防止することができる。
【００４０】
描かれる実例では、ガス・フェンス１４０ａ、１４０ｂ、１４０ｃが、患者用キャビティ１１８内で、概して、患者用開口部１１６又は患者に向けて軸方向に延在していてよい。ガス・フェンス１４０ａ、１４０ｂ、１４０ｃが、患者の顔面特徴のための又は患者の快適さのためのスペースを維持しながら軸方向に延在してよい。さらに、ガス・フェンス１４０ａ、１４０ｂ、１４０ｃの縁部が患者の快適さのために円形であってよい。
【００４１】
ガス・フェンス１４０ａ、１４０ｂ、１４０ｃが、概して、ガス・ポート１３２ａ、１３２ｂと通気開口部１２０ａ、１２０ｂ、１２０ｃとの間に配置され得る。描かれる実例では、ガス・フェンス１４０ａ、１４０ｂ、１４０ｃがガス・ポート１３２ａ、１３２ｂの近位に配置される。いくつかの用途では、ガス・ポート１３２ａ、１３２ｂに対するガス・フェンス１４０ａ、１４０ｂ、１４０ｃの相対的なロケーションが、患者の鼻及び口の近くでガス・カーテンを維持するのを促進するためのバリアを作り出す。さらに、通気開口部１２０ａ、１２０ｂ、１２０ｃに対するガス・フェンス１４０ａ、１４０ｂ、１４０ｃの相対的なロケーションが、概して、補給ガス流れの中への及び患者用キャビティ１１８の中への環境ガスの取り込みを防止するためのバリアを作り出す。
【００４２】
示されるように、ガス・フェンス１４０ａ、１４０ｂ、１４０ｃが、それぞれ、通気開口部１２０ａ、１２０ｂ、１２０ｃの輪郭に従うように湾曲していてよい。ガス・フェンス１４０ａ、１４０ｂ、１４０ｃが通気開口部１２０ａ、１２０ｂ、１２０ｃの外側縁部に沿う形でその形状に従うことができる。いくつかの実施例では、ガス・フェンス１４０ａ、１４０ｂ、１４０ｃが、マスク・ボディ１１０に対してオープン・マスク構造を提供するために通気開口部１２０ａ、１２０ｂ、１２０ｃの一部分に沿って延在してよい。
【００４３】
例えば、ガス・フェンス１４０ａ、１４０ｂ、１４０ｃが、少なくとも部分的に通気開口部１２０ａ、１２０ｂ、１２０ｃの縁部に沿って円周状に延在してよい。いくつかの実施例では、ガス・フェンス１４０ａ、１４０ｂ、１４０ｃが通気開口部１２０ａ、１２０ｂ、１２０ｃの間に配置され得る。いくつかの用途では、ガス・フェンス１４０ａ、１４０ｂが患者の鼻の両側に配置され得、ガス・フェンス１４０ｃが患者の鼻の下方に配置され得、それにより、カーテン効果のあるガス流れを促進し、また、通気開口部１２０ａ、１２０ｂ、１２０ｃからの環境ガスの取り込みを防止又は制限しながら患者の鼻及び口に隣接するエリアでの補給ガスの濃度を維持する。さらに、いくつかの実施例では、下側のガス・フェンス１４０ｃが、下側の通気開口部１２０ｃの周りでのカーテン効果のあるガス流れを促進することができ、それにより患者の口に隣接するエリアでの補給ガスの濃度を向上させる。
【００４４】
図４は、本開示の種々の態様による、断面線４−４に沿う図２のマスク・ボディ１１０の断面図である。示されるように、補給ガス・チャネル１５０が、補給ガス・ポート１１４から、ガス・マニホルド１３０を通るように形成されるガス・ポート１３２ａ、１３２ｂに誘導する。いくつかの実施例では、補給ガス・チャネル１５０が供給ガス・ポート１１４から下側の通気開口部１２０ｃの周りに補給ガスを誘導する。任意選択で、補給ガス・チャネル１５０が下側の通気開口部１２０ｃの周りに円周状に配置され得る。
【００４５】
描かれる実施例では、補給ガス・チャネル１５０が、マスク・ボディ１１０に面するように配置されるガス・マニホルド１３０によって画定される。例えば、ガス・マニホルド１３０の内側縁部１３４及び外側縁部１３６が、補給ガス・チャネル１５０を画定するようにマスク・ボディ１１０の内側リップ１５２及び外側リップ１５４に係合され得る。具体的には、ガス・マニホルド１３０の内側縁部１３４がマスク・ボディ１１０の内側リップ１５２に係合され得、ガス・マニホルド１３０の外側縁部１３６がマスク・ボディ１１０の外側リップ１５４に係合され得る。さらに、ガス・マニホルド１３０のマニホルド表面１３８及びマスク・ボディ１１０のマスク表面１５６が、補給ガス・チャネル１５０の壁を画定するように協働することができ、また、そうするように離間され得る。
【００４６】
図５は、本開示の種々の態様による、図２のガス・マニホルド１３０及びマスク・ボディ１１０の分解図である。本明細書で説明されるように、ガス・マニホルド１３０及びマスク・ボディ１１０が協働的に補給ガス・チャネル１５０を画定することができる。描かれる実施例では、マスク・ボディ１１０が、ガス・マニホルド１３０を受けてガス・マニホルド１３０をマスク・ボディ１１０に係合させてその中に補給ガス・チャネル１５０を画定するための、ガス・マニホルド１３０の構造部に対して相補的である構造部を有することができる。
【００４７】
例えば、マスク・ボディ１１０の内側リップ１５２及び外側リップ１５４がガス・マニホルド１３０のための係合輪郭を画定することができる。ガス・マニホルド１３０の内側縁部１３４及び外側縁部１３６が、内側リップ１５２及び外側リップ１５４によって形成される係合輪郭を用いて配置され得る。いくつかの実施例では、マスク・ボディ１１０の係合輪郭が、補給ガス・チャネル１５０を形成するのを可能にするためにガス・マニホルド１３０をマスク・ボディ１１０に位置合わせするのを可能にすることができる。いくつかの実施例では、マスク・ボディ１１０及び／又はガス・マニホルド１３０が、ガス・マニホルド１３０をマスク・ボディ１１０に位置合わせするための、位置合わせ用の、ポスト、孔、又は他の構造部を有することができる。
【００４８】
描かれる実例では、ガス・マニホルド１３０が、マスク・ボディ１１０内に入れ子状にされる相補的な形状を有することができる。いくつかの実施例では、ガス・マニホルド１３０がマスク・ボディ１１０の内側部分を用いて配置される。任意選択で、ガス・マニホルド１３０が、マスク・ボディ１１０の外側表面に沿って補給ガス・チャネル１５０を画定するようにマスク・ボディ１１０の外側部分に沿って配置され得る。
【００４９】
いくつかの実施例では、ガス・マニホルド１３０がマスク・ボディ１１０に弾性的に又は伸縮可能に係合され得、ここでは、マスク・ボディ１１０及び／又はガス・マニホルド１３０の複数の部分がガス・マニホルド１３０をマスク・ボディ１１０に結合するように弾性的に変形する。
【００５０】
係合時、ガス・マニホルド１３０が、補給ガス・チャネル１５０を通して補給ガス流れが漏洩するのを防止するためにマスク・ボディ１１０に密閉的に係合され得る。いくつかの実施例では、ガス・マニホルド１３０が任意の適切な接着剤を用いてマスク・ボディ１１０に接合され得る（例えば、溶剤結合、接着接合）。いくつかの実施例では、ガス・マニホルド１３０が、材料を融合させるための高周波電磁気エネルギーを用いるレーザ溶着又はＲＦ溶着などにより、マスク・ボディ１１０に溶着（又は溶接）され得る。いくつかの実施例では、ガス・マニホルド１３０及びマスク・ボディ１１０が、ラッチ、締まり嵌め、熱かしめなどを用いることにより、機械的に結合される。ガス・マニホルド１３０及びマスク・ボディ１１０が、同様の材料又は異なる材料から形成され得る。
【００５１】
図６は、本開示の種々の態様による、図２のガス・マニホルド１３０の正面図である。描かれる実施例では、ガス・マニホルド１３０が補給ガス・チャネル１５０の内側部分を画定する（図４に示されるように）。示されるように、ガス・マニホルド１３０が、概略の修正されたトロイダル形状を有することができる。
【００５２】
さらに、マニホルド表面１３８が補給ガス・チャネル１５０の内壁を画定することができる。示されるように、ガス・ポート１３２ａ、１３２ｂがマニホルド表面１３８を通るように形成され得、それにより補給ガス・チャネル１５０との流体連通を可能にする。マニホルド表面１３８がガス・マニホルド１３０の内側縁部１３４及び外側縁部１３６の間を延在してよい。示されるように、ガス・マニホルド１３０の内側縁部１３４がマスク・ボディ１１０の下側の通気開口部１２０ｃの周りに形成され得る。
【００５３】
図７は、本開示の種々の態様による、図２のマスク・ボディ１１０の背面図である。描かれる実施例では、マスク・ボディ１１０が補給ガス・チャネル１５０の外側部分を画定する（図４に示されるように）。示されるように、マスク・ボディ１１０が、概略の修正された円錐形状又は任意の他の解剖学的に適切な形状を有することができる。
【００５４】
示されるように、マスク表面１５６が補給ガス・チャネル１５０の外壁を画定することができる。いくつかの実施例では、供給ガス・ポート１１４がマスク表面１５６を通るように形成され得、それにより補給ガス・チャネル１５０との流体連通を可能にする。マスク表面１５６がマスク・ボディ１１０の離間される内側リップ１５２及び外側リップ１５４の間に画定され得る。任意選択で、内側リップ１５２及び外側リップ１５４が、係合されるガス・マニホルド１３０のための係合構造部を提供するために軸方向において患者又はガス・マニホルド１３０に向けて延在してよい。示されるように、内側リップ１５２がマスク・ボディ１１０の下側の通気開口部１２０ｃの周りに円周状に形成され得る。
【００５５】
本明細書で説明されるように、換気マスクの実施例が、オープン・マスク構造を維持しながら患者への補給ガスの効果的且つ効率的なデリバリー及び投与を可能にする。有利には、本開示の実施例が、マスクの患者用キャビティを通って患者の鼻又は口の近くの位置まで突出するガス・デリバリー構造又はガス採取構造を必要としない。患者の鼻又は口の近くにガス・デリバリー構造又はガス採取構造が存在しないことにより、マスクと患者との間での意図されない接触を防止することができ、マスク内の顔面特徴のためのボリュームを増大させることができ、患者の多様な顔面構造及び呼吸の種類（例えば、口呼吸及び／又は鼻呼吸）に対して一定の性能を提供することができる。さらに、本明細書で説明される換気マスクの実施例の構造部が、補給ガスの環境への損失を防止し、補給ガス流れの中への環境ガスの取り込みを防止する。
【００５６】
図８は、本開示の種々の態様による、換気マスクのための、酸素流量と比較される吸気酸素（ＦｉＯ２；ｆｒａｃｔｉｏｎ  ｏｆ  ｉｎｓｐｉｒｅｄ  ｏｘｙｇｅｎ）の割合を表すチャートである。毎吸気５００ｍＬの１回換気量及び毎分１５回の呼吸の呼吸速度の呼吸模擬装置を使用して、換気マスクの実施例を試験した。シミュレーション中、鼻及び口の組合せを通した呼吸をシミュレートした。図９は、本開示の種々の態様による、換気マスクのための、酸素流量と比較される吸気酸素の割合を表すチャートである。シミュレーション中、口を通した呼吸をシミュレートした。図１０は、本開示の種々の態様による、換気マスクのための、酸素流量と比較される吸気酸素の割合を表すチャートである。シミュレーション中、鼻を通した呼吸をシミュレートした。
【００５７】
したがって、図８〜１０を参照すると、本明細書で説明される換気マスクの実施例が、オープン・マスク構造を有する従来の換気マスクと比較してより高濃度の酸素又は他の補給ガスを多様な流量で提供しながら、オープン・マスク構造を可能にする。いくつかの用途では、本明細書で説明される換気マスクのいくつかの実施例によって提供される吸気酸素の割合が約３０％から８０％の範囲であってよい。さらに、示されるように、本明細書で説明される換気マスクの実施例は、より高い流量で、従来の換気マスクと比較して有意により高濃度の酸素を提供する。例えば、換気マスクの実施例が、４０％、４５％、５０％、６０％、７０％、７５％、又は８０％より高い吸気酸素量の割合を効果的に提供することができる。
【００５８】
有利には、本明細書で説明される換気マスクの実施例が、従来の換気マスクと比較してより効果的に補給ガスをデリバリーすることができるため、換気マスクの実施例が動作中に無駄にする補給ガスを低減することができる。例えば、いくつかの用途では、換気マスクの実施例が、従来の換気マスクと比較して、デリバリー中に無駄にする補給ガスを、０％から、１０％、２０％、３０％、４０％、又は５０％まで低減することができる。
【００５９】
図１１は、本開示の種々の態様による、換気マスク２００の斜視図である。描かれる実例では、換気マスク２００の種々の特徴が、換気マスク１００に関連して説明した特徴と同様であってよい。したがって、換気マスク１００の特徴と同様であってよい換気マスク２００の種々の特徴を参照するために同様の参照番号が利用され得る。
【００６０】
描かれる実例では、換気マスク２００が、測定又は分析のために、補給ガスを患者に投与するために及び／又は患者からの呼気を採取するために利用され得る。したがって、補給ガスを補給ガス・ポート２１４ａを介して換気マスク２００に誘導するのに加えて、換気マスク２００が患者からの呼気ガスを検出ポート２１４ｂを介してモニタに誘導することができる。いくつかの実施例では、複数のモニタが、複数のパラメータを監視するために又は冗長性のためにピグテール接続部又は他の任意の適切な接続部を介して検出ポート２１４ｂに接続され得る。
【００６１】
いくつかの用途では、二酸化炭素レベルを監視するために、カプノグラフィー法が換気マスク２００からの採取された呼気ガスと共に使用され得る。例えば、呼気中の二酸化炭素のパーセンテージを監視するために又は呼気中の二酸化炭素の分圧を監視するために、採取された呼気ガスが分析され得る。任意選択で、値が１回の呼吸毎の波形として示され得る。いくつかの実施例では、検出ポート２１４ｂが、換気マスク２００の患者用キャビティから呼気ガスを引き込むための負圧源に結合され得る。
【００６２】
図１２は、本開示の種々の態様による、図１１の換気マスクのマスク・ボディ２１０の背面図である。いくつかの用途では、マスク・ボディ２１０が、補給ガスを患者に投与するのを可能にするために及び呼気ガスを採取するのを可能にするために、患者の口及び鼻の上で着用されるように構成される。
【００６３】
描かれる実例では、補給ガスが１つ又は複数のガス・ポート２３２ａ、２３２ｂを介して患者用キャビティ２１８の中に導入され得る。いくつかの用途では、通気開口部２２０ａ、２２０ｂ、２２０ｃが患者用キャビティ２１８と流体連通しているにもかかわらず、ガス・ポート２３２ａ、２３２ｂが、高濃度の補給ガスを患者用キャビティ２１８に及び最終的には患者に投与することができる。
【００６４】
任意選択で、呼気ガスが１つ又は複数の採取ポータル２６２ａ、２６２ｂ、２６２ｃを介して患者用キャビティ２１８から採取され得る。採取ポータル２６２ａ、２６２ｂ、２６２ｃが、マスク・ボディ２１０の患者用キャビティ２１８内に配置される採取カバー（ｓａｍｐｌｉｎｇ  ｃｏｖｅｒ）２６０内に形成され得る。いくつかの実施例では、採取カバー２６０がガス・マニホルド２３０に結合される。
【００６５】
いくつかの用途では、通気開口部２２０ａ、２２０ｂ、２２０ｃが患者用キャビティ２１８及びガス・ポート２３２ａ、２３２ｂと流体連通しており、患者用キャビティ２１８の中に補給ガス流れを導入しているにもかかわらず、採取ポータル２６２ａ、２６２ｂ、２６２ｃが、患者用キャビティ２１８及び最終的には患者から呼気ガスを吸入することができる。
【００６６】
示されるように、採取ポータル２６２ａ、２６２ｂ、２６２ｃが、マスク・ボディ２１０の着用時に円周状に配置されるように、又は患者の口に隣接するように配置されるように、構成され得る。描かれる実施例では、採取ポータル２６２ａ、２６２ｂ、２６２ｃが下側の通気開口部２２０ｃの周りに円周状に配置される。例えば、採取ポータル２６２ａ、２６２ｂ、２６２ｃが、通気開口部２２０ｃの中心の頂部から、約０度、６０度、１８０度、及び３００度で、下側の通気開口部２２０ｃの周りに円周状に配置され得る。認識され得るように、採取ポータル２６２ａ、２６２ｂ、２６２ｃが、０度、１５度、３０度、４５度、６０度、９０度、１２０度、１８０度、２１０度、２２５度、２４０度、２７０度、３００度、３３０度、又は３４５度などの、任意の円周方向位置に配置され得る。任意選択で、採取ポータル２６２ａ、２６２ｂ、２６２ｃが、約１０度、２０度、３０度、４５度、６０度、９０度、１２０度、１３５度、１６０度、又は１８０で離間され得る。本開示のいくつかの実施例では、採取ポータル２６２ａ、２６２ｂ、２６２ｃがガス・ポート２３２ａ、２３２ｂと通気開口部２２０ｃとの間に配置され得る。
【００６７】
採取ポータル２６２ａ、２６２ｂ、２６２ｃ、及び／又はガス・ポート２３２ａ、２３２ｂの形状及び位置が、種々の呼吸特性においてガスのデリバリー及びガスの採取を改善するのを実現する。例えば、採取ポータル２６２ａ、２６２ｂ、２６２ｃ、及び／又はガス・ポート２３２ａ、２３２ｂの形状及び位置が、自分の口及び／又は鼻のみで又は主として自分の口及び／又は鼻で呼吸する可能性がある複数の患者に対して、さらには多様な顔面形態を有するような及び多様な患者姿勢（ｐａｔｉｅｎｔ  ｐｏｓｉｔｉｏｎ）を有するような複数の患者に対して、ガスのデリバリー及びガスの採取を改善するのを実現するように構成される。加えて、採取ポータル２６２ａ、２６２ｂ、２６２ｃ及び／又はガス・ポート２３２ａ、２３２ｂの形状及び位置が、従来の換気マスクと比べてより多くの吸気酸素の割合を提供するのを促進するように構成される。
【００６８】
いくつかの実施例では、採取ポータル２６２ａ、２６２ｂ、２６２ｃが円形開口部であってよい。任意選択で、採取ポータル２６２ａ、２６２ｂ、２６２ｃが任意の適切な他の形状であってよい。採取ポータル２６２ａ、２６２ｂ、２６２ｃが、呼気ガスの吸入を促進し及び補給ガス流れ又は環境ガスの吸入を防止するための、フード、スクープ（ｓｃｏｏｐ；ひしゃく）、及び／又はシュラウド（覆い）などの構造部をさらに有することができる。いくつかの実施例では、採取ポータル２６２ａ、２６２ｂ、２６２ｃが、約０．０５０８ｃｍ（０．０２インチ）から０．２５４ｃｍ（０．１インチ）の直径範囲であってよい。
【００６９】
例えば、いくつかの実施例では、採取ポータル２６２ａ、２６２ｂ、２６２ｃは、多様な、呼吸パターン（口／鼻）、顔面特徴、及び／又は姿勢（ｐｏｓｉｔｉｏｎ）を有する複数の患者に対する機能性を向上させるために、サイズ及び直径が多様であってよい。任意選択で、１つ又は複数の採取ポータル２６２ａ、２６２ｂ、２６２ｃが、他の採取ポータル２６２ａ、２６２ｂ、２６２ｃとは異なるサイズ又は直径を有することができる。例えば、中心の頂部のロケーションに配置される採取ポータル２６２ａが約０．１０２ｃｍ（０．０４インチ）から０．１７８ｃｍ（０．０７インチ）の範囲のより大きい直径を有することができ、対して中心の底部のロケーションに配置される採取ポータル２６２ｃが約０．０５０８ｃｍ（０．０２インチ）から０．１０２ｃｍ（０．０４インチ）の範囲のより小さい直径を有することができる。さらに、いくつかの実施例では、側部のロケーションに位置する採取ポータル２６２ｂが約０．０７６２ｃｍ（０．０３インチ）から０．１２７ｃｍ（０．０５インチ）の範囲の中間の直径を有することができる。
【００７０】
動作中、補給ガス流れを提供することに加えて、ガス・ポート２３２ａ、２３２ｂが、患者から採取ポータル２６２ａ、２６２ｂ、２６２ｃに向けて呼気ガスを誘導するのを補助することができる。いくつかの実施例では、ガス・ポート２３２ａ、２３２ｂによって作り出される、カーテン効果のあるガス流れ、又はガス・カーテンが、患者から採取ポータル２６２ａ、２６２ｂ、２６２ｃに向けて呼気ガスを誘導するための流れ経路を作り出すことができる。有利には、ガス・ポート２３２ａ、２３２ｂからのガス流れを利用することにより、採取信号を一切損失することなく採取ポータル２６２ａ、２６２ｂ、２６２ｃを通した呼気ガスの採取を可能にしながら、補給ガス流れが患者用キャビティ２１８の中に導入され得る。
【００７１】
いくつかの実施例では、マスク・ボディ２１０及び／又はガス・マニホルド２３０から延在するガス・フェンス２４０ａ、２４０ｂ、２４０ｃが、ガス・ポート２３２ａ、２３２ｂからの補給ガス流れを制御及び／又は誘導するのを補助することができる。さらに、ガス・フェンス２４０ａ、２４０ｂ、２４０ｃがさらに、採取ポータル２６２ａ、２６２ｂ、２６２ｃに向かう呼気ガスを制御及び／又は制御するのを補助し、並びに患者用キャビティ２１８の中への環境空気の取り込みを防止又は制限することができる。
【００７２】
例えば、上側のガス・フェンス２４０ａ、２４０ｂが患者用キャビティの中への環境ガスの取り込みを防止又は制限することができる。さらに、下側のガス・フェンス２４０ｃが概して、ガス・ポート２３２ａ、２３２ｂと採取ポータル２６２ａ、２６２ｂ、２６２ｃのうちの少なくとも一部との間に配置され得る。いくつかの用途では、ガス・ポート２３２ａ、２３２ｂ及び採取ポータル２６２ａ、２６２ｂ、２６２ｃに対するガス・フェンス２４０ｃの相対的なロケーションが、採取ポータル２６２ａ、２６２ｂ、２６２ｃに呼気ガスが入るのを促進しながら補給ガス流れが採取ポータル２６２ａ、２６２ｂ、２６２ｃに入るのを防止又は制限するためのバリアを作り出す。
【００７３】
任意選択で、マスク・ボディ２１０が、患者が呼吸しているかどうかの視覚的表示を提供するための１つ又は複数のブレス・インジケータ２１１ａ、２１１ｂ、２１１ｃを有することができる。
【００７４】
図１３Ａは、本開示の種々の態様による、断面線１３Ａ〜１３Ａに沿う図１２のマスク・ボディ２１０の断面図である。示されるように、補給ガス・チャネル２５０が、供給ガス・ポートから、ガス・マニホルド２３０を通るように形成されるガス・ポート２３２ａ、２３２ｂまで、補給ガスを誘導する。任意選択で、ガス・マニホルド２３０及び採取カバー２６０の対向する表面が採取チャネル２７０を形成することができる。いくつかの実施例では、採取チャネル２７０がガス・チャネル２５０に隣接するように配置される。任意選択で、採取チャネル２７０が概してガス・チャネル２５０と同心に配置される。図１３Ｂは、本開示の種々の態様による、図１３Ａのマスク・ボディ２１０の詳細図である。図１３Ａ及び１３Ｂを参照すると、いくつかの実施例では、採取チャネル２７０が、採取ポータル２６２ａ、２６２ｂ、２６２ｃから検出ポート導管２３１ａまで呼気ガスを誘導する。いくつかの実施例では、採取チャネル２７０が採取ポータル２６２ａ、２６２ｂ、２６２ｃから下側の通気開口部２２０ｃの周りで呼気ガスを誘導する。任意選択で、採取チャネル２７０が下側の通気開口部２２０ｃの周りに円周状に配置され得る。
【００７５】
描かれる実例では、採取チャネル２７０と流体連通している検出ポート導管２３１ａが、採取チャネル２７０から出すように呼気ガスを誘導するために、ガス・マニホルド２３０からガス・チャネル２５０を通って延在する。示されるように、検出ポート導管２３１ａが検出ポート２１４ｂの中まで延在することができ、検出ポート２１４ｂの中に少なくとも部分的に配置され得る。いくつかの実施例では、検出ポート導管２３１ａが検出ポート２１４ｂを通って延在する。
【００７６】
いくつかの実施例では、検出ポート導管２３１ａの一部分が検出ポート２１４ｂ内で同心に配置され得る。任意選択で、検出ポート導管２３１ａが、検出ポート２１４ｂの複数の部分との締まり嵌め又は摩擦嵌合を有することができる。いくつかの実施例では、検出ポート２１４ｂ及び／又は検出ポート導管２３１ａが、換気マスク２００の着用時に患者の顎の下方に配置されるように構成され得る。さらに、いくつかの実施例では、検出ポート２１４ｂ及び／又は検出ポート導管２３１ａが、換気マスク２００の着用時に患者の鼻と平行に配置されるように構成され得る。
【００７７】
描かれる実施例では、採取チャネル２７０が、ガス・マニホルド２３０に面するように配置される採取カバー２６０によって画定される。例えば、採取カバー２６０の内側縁部２６４及び外側縁部２６６が、採取チャネル２７０を画定するようにガス・マニホルド２３０の内側表面に係合され得る。さらに、カバー表面２６８及びガス・マニホルド２３０の内側表面が採取チャネル２７０の壁を画定するように協働することができ、また、そうするように離間され得る。
【００７８】
図１４は、本開示の種々の態様による、図１２の採取カバー２６０及びガス・マニホルド２３０の分解図である。本明細書で説明されるように、採取カバー２６０及びガス・マニホルド２３０がそれらの間に採取チャネル２７０を協働的に画定することができる。描かれる実施例では、採取ガス・チャネル２５０を形成することに加えて、ガス・マニホルド２３０が、採取カバー２６０を受けて採取カバー２６０をガス・マニホルド２３０に係合させてその中に採取チャネル２７０を画定するための、採取カバー２６０の構造部に対して相補的である構造部を有することができる。
【００７９】
例えば、ガス・マニホルド２３０の内側リップ２７２及び外側リップ２７４が採取カバー２６０のための係合輪郭を画定することができる。採取カバー２６０の内側縁部２６４及び外側縁部２６６が、内側リップ２７２及び外側リップ２７４によって形成される係合輪郭を用いて、配置され得る。いくつかの実施例では、ガス・マニホルド２３０の係合輪郭が、採取チャネル２７０を形成するのを可能にするために採取カバー２６０をガス・マニホルド２３０に位置合わせするのを可能にすることができる。いくつかの実施例では、ガス・マニホルド２３０及び／又は採取カバー２６０が、採取カバー２６０をガス・マニホルド２３０に位置合わせするための、位置合わせ用の、ポスト、孔、又は他の構造部を有することができる。
【００８０】
描かれる実例では、採取カバー２６０が、ガス・マニホルド２３０内に入れ子状にされる相補的な形状を有することができる。いくつかの実施例では、採取カバー２６０がガス・マニホルド２３０の内側表面に沿って配置され得る。任意選択で、採取カバー２６０が、ガス・マニホルド２３０又はマスク・ボディ２１０の外側表面に沿って採取チャネル２７０を画定するようにガス・マニホルドの外側表面に沿って配置され得る。
【００８１】
いくつかの実施例では、採取カバー２６０がガス・マニホルド２３０に弾性的に又は伸縮可能に係合され得、ここでは、ガス・マニホルド２３０及び／又は採取カバー２６０の複数の部分が採取カバー２６０をガス・マニホルド２３０に結合するように弾性的に変形する。
【００８２】
係合時、採取カバー２６０が、採取チャネル２７０を通して呼気ガスが漏洩するのを防止するためにガス・マニホルド２３０に密閉的に係合され得る。いくつかの実施例では、採取カバー２６０が任意の適切な接着剤を用いてガス・マニホルド２３０に接合され得る（例えば、溶剤結合、接着接合）。いくつかの実施例では、採取カバー２６０が、材料を融合させるための高周波電磁気エネルギーを用いるレーザ溶着又はＲＦ溶着などにより、ガス・マニホルド２３０に溶着され得る。いくつかの実施例では、採取カバー２６０及びガス・マニホルド２３０が、ラッチ、締まり嵌め、又は熱かしめなどを用いることより、機械的に結合される。採取カバー２６０及びガス・マニホルド２３０が、同様の材料又は異なる材料から形成され得る。
【００８３】
図１５は、本開示の種々の態様による、図１２の採取カバー２６０の正面図である。描かれる実施例では、採取カバー２６０が採取チャネル２７０の内側部分を画定する。示されるように、採取カバー２６０が概略の修正されたトロイダル形状を有することができる。
【００８４】
さらに、カバー表面２６８が採取チャネル２７０の内壁を画定することができる。示されるように、採取ポータル２６２ａ、２６２ｂ、２６２ｃがカバー表面２６８を通るように形成され得、それにより採取チャネル２７０との流体連通を可能にする。カバー表面２６８が採取カバー２６０の内側縁部２６４と外側縁部２６６との間を延在してよい。示されるように、採取カバー２６０の内側縁部２６４がマスク・ボディ２１０の下側の通気開口部２２０ｃの周りに形成され得る。
【００８５】
図１６Ａは、本開示の種々の態様による、図１２のガス・マニホルド２３０の背面図である。描かれる実施例では、ガス・マニホルド２３０の外側表面が採取チャネル２７０の外側部分を画定する。
【００８６】
示されるように、内側リップ２７２と外側リップ２７４との間に形成される溝が採取チャネル２７０の外側部分を画定する。いくつかの実施例では、検出ポート導管２３１ａのための導管開口部２３１ｂが、内側リップ２７２と外側リップ２７４との間に形成される溝を通るように形成され得る。溝の幅がガス・マニホルド２３０の離間される内側リップ２７２及び外側リップ２７４の間に画定され得る。任意選択で、内側リップ２７２及び外側リップ２７４が、係合される採取カバー２６０のための係合構造部を提供するために軸方向において患者又は採取カバー２６０に向けて延在してよい。示されるように、内側リップ２７２がマスク・ボディ２１０の下側の通気開口部２２０ｃの周りに円周状に形成され得る。
【００８７】
図１６Ｂは、本開示の種々の態様による、ガス・マニホルド２３０’の別の実施例の正面斜視図である。図１６Ｃは、本開示の種々の態様による、図１６Ｂのガス・マニホルド２３０’の正面図である。描かれる実例では、ガス・マニホルド２３０’が、補給ガス・チャネルを通る流れを均等化するのを又は均等に分配するのを可能にする。
【００８８】
本明細書で説明されるように、マスク・ボディと組み合わされたガス・マニホルド２３０’が、供給ガス・ポートからガス・ポート２３２ａ、’、２３２ｂ’まで補給ガスを誘導するための補給ガス・チャネルを画定する。いくつかの用途では、検出部分導管２３１ａ’が補給ガス・チャネル２５０を通って延在してよく、それにより流量制限又は流れの妨害を作り出す。描かれる実例では、ガス・マニホルド２３０’が、少なくとも部分的に補給ガス・チャネルの中まで延在する突出部２３３’を有し、それにより、補給ガス・チャネルを通る流れを均等化するための相補的な流量制限又は流れの妨害を作り出す。認識され得るように、突出部２３３’が検出部分導管２３１’の反対側に配置され得る。いくつかの実施例では、突出部２３３’が、補給ガス・チャネルの所望の部分を妨害又は制限するための任意の適切な形状であってよい。
【００８９】
本明細書で説明されるように、本明細書で説明される換気マスクの実施例が、オープン・マスク構造を用いる補給ガスの投与を可能にしながら患者の呼気ガスの効果的な採取を可能にする。
【００９０】
図１７は、本開示の種々の態様による、換気マスクのための、酸素流量と比較される、カプノグラフィー法を用いて測定された二酸化炭素を表すチャートである。毎吸気５００ｍＬの１回換気量、５％の呼気される二酸化炭素、及び毎分１５回の呼吸の呼吸速度の呼吸模擬装置を使用して、換気マスクの実施例を試験した。シミュレーション中、鼻及び口の組合せを通した呼吸をシミュレートした。図１８は、本開示の種々の態様による、換気マスクのための、酸素流量と比較される、カプノグラフィー法を用いて測定された二酸化炭素を表すチャートである。シミュレーション中、口を通した呼吸をシミュレートした。図１９は、本開示の種々の態様による、換気マスクのための、酸素流量と比較される、カプノグラフィー法を用いて測定された二酸化炭素を表すチャートである。シミュレーション中、鼻を通した呼吸をシミュレートした。
【００９１】
したがって、図１７〜１９を参照すると、本明細書で説明される換気マスクの実施例が、オープン・マスク構造を有する従来の換気マスクと比較して、種々の補給ガスの流量で患者からより正確に且つより効率的に呼気ガスを採取しながら、オープン・マスク構造を可能にする。いくつかの用途では、本明細書で説明される換気マスクのいくつかの実施例によって提供される測定される二酸化炭素のパーセンテージが約２％から３．５％の範囲であってよい。さらに、示されるように、補給ガスのより高い流量において、本明細書で説明される換気マスクの実施例が、従来の換気マスクと比較して有意により正確に呼気ガスの試料を提供する。例えば、換気マスクの実施例が、２．０％、２．１％、２．２％、２．３％、２．４％、２．５％、２．６％、２．８％、３．０％、３．２％、３．４％、又は３．５％より大きいパーセンテージの二酸化炭素を正確に測定することができる。
【００９２】
図２０Ａは、本開示の種々の態様による、換気マスク３００の背面斜視図である。描かれる実例では、マスク・ボディ３１０が、患者の顔面構造に対してマスク・ボディ３１０を密閉するための、マスク・ボディ３１０の縁部に沿って配置される接触シール３８０を有することができる。接触シール３８０が、患者の顔面構造に適合して患者の顔面構造を密閉するような弾性構成を有することができる。認識され得るように、接触シール３８０が、人口統計学的に広範囲の顔面構造に適合するように構成され得る。有利には、接触シール３８０を利用することにより、換気マスク３００が、より効果的に、補給ガス流れをデリバリーすること及び／又は呼気ガスを採取することが可能となり得る。
【００９３】
図２０Ｂは、本開示の種々の態様による、換気マスク３００ｂの上面断面図である。描かれる実例では、マスク・ボディ３１０ｂが、内側に巻いている接触シール３８０ｂを有する。示されるように、接触シール３８０ｂの縁部が患者の断面構造に向けて内側に巻いている。認識され得るように、接触シール３８０ｂの巻き構造が、接触シール３８０ｂを患者の顔面特徴に適合させるのを可能にすることができる。いくつかの実施例では、接触シール３８０ｂが熱可塑性エラストマなどの弾性材料から形成され得る。
【００９４】
図２０Ｃは、本開示の種々の態様による、換気マスク３００の上面断面図である。描かれる実例では、マスク・ボディ３１０ｃが外側に巻いている接触シール３８０を有する。示されるように、接触シール３８０の縁部が患者の顔面構造から離れる方に外側に巻いている。認識され得るように、接触シール３８０ｃの巻き構造が、接触シール３８０ｃを患者の顔面特徴に適合させるのを可能にすることができる。
【００９５】
図２１は、本開示の種々の態様による、換気マスク４００の立面図である。描かれる実例では、ストラップ４０４が、患者の口及び鼻の上での換気マスク４００の着用時に患者の快適さを向上させるために分割され得る。示されるように、マスク部分４０５が、分離エリア４０７で上側部分４０６ａ及び下側部分４０６ｂへとの分離することができる。動作中、上側部分４０６ａが患者の耳の上に着用され得、下側部分４０６ｂが患者の耳の下方において着用され得る。有利には、上側部分４０６ａ及び下側部分４０６ｂが、患者の快適さ及び換気マスク４００の適切なフィッティングを実現するために分離され得る。
【００９６】
図２２は、本開示の種々の態様による、換気マスク５００の立面図である。描かれる実例では、ストラップ５０４のマスク部分５０５が、マスク部分５０５並びにストラップ５０４の上側部分５０６ａ及び下側部分５０６ｂの長さを調整するために臨床医によって分離され得る。示されるように、マスク部分５０５が、マスク部分５０５の分離時に上側部分５０６及び下側部分５０６ｂの長さを伸ばすのを可能にする、ミシン目付き（ｐｅｒｆｏｒａｔｅｄ）分離エリア５０７を有する。
【００９７】
（条項としての主題技術の例示）
本開示の態様の種々の実例が、便宜的に、番号を付される項（第１項、第２項、第３項、など）として説明される。これらは例として提供されるものであり、本主題の技術を限定するものではない。図及び参照番号の特定は単に例として例示の目的で行われるものであり、項がこれらの特定によって限定されるわけではない。
【００９８】
第１項：  患者用キャビティを画定するマスク・ボディであって、患者用キャビティと流体連通している患者用開口部と、マスク・ボディを通るように形成される少なくとも１つの通気開口部であり、少なくとも１つの通気開口部が患者用キャビティと流体連通しており、少なくとも１つの通気開口部が患者用開口部の概して反対側に配置される、少なくとも１つの通気開口部とを有する、マスク・ボディと、マスク・ボディに結合されるガス・マニホルドであって、ガス・マニホルドがガス・チャネルを画定し、ガス・マニホルドが、ガス・チャネルと流体連通している複数のベクタード・ガス・ポート（ｖｅｃｔｏｒｅｄ  ｇａｓ  ｐｏｒｔ）を有し、複数のベクタード・ガス・ポートが、患者用キャビティ内で少なくとも１つの通気開口部に隣接するガス・カーテンを形成するために患者用キャビティ内でカーテン効果のあるガス流れを作り出すように構成される、ガス・マニホルドとを有する、換気マスク。
【００９９】
第２項：  複数のベクタード・ガス・ポートのうちの少なくとも１つのベクタード・ガス・ポートがテーパ状の幾何形状を有する、第１項の換気マスク。
【０１００】
第３項：  複数のベクタード・ガス・ポートのうちの少なくとも１つのベクタード・ガス・ポートがスロット状の断面を有する、第１項及び第２項までのいずれか一項の換気マスク。
【０１０１】
第４項：  複数のベクタード・ガス・ポートのうちの少なくとも１つのベクタード・ガス・ポートが円形断面を有する、第１項から第３項までのいずれか一項の換気マスク。
【０１０２】
第５項：  マスク・ボディが、少なくとも１つの通気開口部に隣接して配置される少なくとも１つのガス・フェンスをさらに有し、少なくとも１つのガス・フェンスが患者用開口部に向けて軸方向に延在する、第１項から第４項までのいずれか一項の換気マスク。
【０１０３】
第６項：  少なくとも１つの通気開口部が、横方向において離間される第１及び第２の通気開口部を有し、少なくとも１つのガス・フェンスが、第１の通気開口部に隣接する第１のガス・フェンス、及び第２の通気開口部に隣接する第２のガス・フェンスを有する、第５項の換気マスク。
【０１０４】
第７項：  第１のガス・フェンスが少なくとも部分的に第１の通気開口部の周りを円周状に延在し、第２のガス・フェンスが少なくとも部分的に第２の通気開口部の周りを円周状に延在する、第６項の換気マスク。
【０１０５】
第８項：  ガス・マニホルドが、少なくとも１つの通気開口部に隣接して配置される少なくとも１つのガス・フェンスをさらに有し、少なくとも１つのガス・フェンスが患者用開口部に向けて軸方向に延在する、第１項から第４項までのいずれか一項の換気マスク。
【０１０６】
第９項：  少なくとも１つの通気開口部が、ガス・マニホルドによって囲まれる下側の通気開口部を有し、少なくとも１つのガス・フェンスが、下側の通気開口部と複数のベクタード・ガス・ポートとの間に配置される、第１項から第４項までのいずれか一項の換気マスク。
【０１０７】
第１０項：  少なくとも１つのガス・フェンスが少なくとも部分的に下側の通気開口部の周りを円周状に延在する、第９項の換気マスク。
【０１０８】
第１１項：  ガス・マニホルドがマスク・ボディの患者用キャビティ内に配置される、第１項から第１０項までのいずれか一項の換気マスク。
【０１０９】
第１２項：  ガス・チャネルがガス・マニホルド及びマスク・ボディにより協働的に画定される、第１１項の換気マスク。
【０１１０】
第１３項：  ガス・マニホルドが、ガス・チャネルを画定するためにマスク・ボディの内側表面に密閉的に係合される、第１２項の換気マスク。
【０１１１】
第１４項：  マスク・ボディの内側表面が、ガス・マニホルドに係合されてガス・チャネルを画定するために、相補的なガス・マニホルド係合輪郭を有する、第１３項の換気マスク。
【０１１２】
第１５項：  ガス・マニホルドがマスク・ボディの外側表面上に配置される、第１項から第１０項までのいずれか一項の換気マスク。
【０１１３】
第１６項：  ガス・マニホルドに結合される採取カバーをさらに有する、第１項から第１５項までのいずれか一項の換気マスク。
【０１１４】
第１７項：  採取カバーが採取チャネルを画定し、採取カバーが、採取チャネルと流体連通している少なくとも１つの採取ポータルを有し、患者用キャビティ内のカーテン効果のあるガス流れが試料ガス流れ（試料ガス流）を採取ポータルに向けて誘導する、第１６項の換気マスク。
【０１１５】
第１８項：  少なくとも１つの採取ポータルが少なくとも１つの通気開口部に隣接して配置される、第１７項の換気マスク。
【０１１６】
第１９項：  少なくとも１つの採取ポータルが酸素採取ポータル及び二酸化炭素採取ポータルを有する、第１８項の換気マスク。
【０１１７】
第２０項：  少なくとも１つの採取ポータルが、フード、スクープ、又はシュラウドの構造部を有する、第１８項の換気マスク。
【０１１８】
第２１項：  ガス・マニホルドが採取チャネルと流体連通している検出ポート導管を有し、検出ポート導管がガス・チャネルを通って延在する、第１７項の換気マスク。
【０１１９】
第２２項：  ガス・マニホルドが、検出ポート導管の反対側に配置されて少なくとも部分的にガス・チャネルを通って延在する突出部を有する、第２１項の換気マスク。
【０１２０】
第２３項：  採取カバーがガス・マニホルドに溶着される、第１６項の換気マスク。
【０１２１】
第２４項：  少なくとも１つの通気開口部が下側の通気開口部を有し、ガス・マニホルドが下側の通気開口部の周りに配置される、第１項から第２３項までのいずれか一項の換気マスク。
【０１２２】
第２５項：  マスク・ボディに結合される変色インジケータをさらに有し、変色インジケータが二酸化炭素に露出されるのに反応して変色するように構成される、第１項から第２４項までのいずれか一項の換気マスク。
【０１２３】
第２６項：  変色インジケータが、二酸化炭素の非存在に反応して変色するように構成される、第２５項の換気マスク。
【０１２４】
第２７項：  変色インジケータが紙ベースのインジケータを含む、第２５項の換気マスク。
【０１２５】
第２８項：  変色インジケータがマスク・ボディの内側表面に接合されるか又はマスク・ボディの中にオーバーモールドされる、第２５項の換気マスク。
【０１２６】
第２９項：  変色インジケータが少なくとも１つの通気開口部に隣接して配置されるガス・フェンス上に配置され、少なくとも１つのガス・フェンスが患者用開口部に向けて軸方向に延在する、第２５項の換気マスク。
【０１２７】
第３０項：  ガス・マニホルドがマスク・ボディに溶着される、第１項から第２９項までの換気マスク。
【０１２８】
第３１項：  マスク・ボディがマスク・ボディの縁部に沿って配置される接触シールを有する、第１項から第３０項までの換気マスク。
【０１２９】
第３２項：  接触シールが内側に巻いている部分又は外側に巻いている部分を有する、第３１項の換気マスク。
【０１３０】
第３３項：  マスク・ボディに結合されるストラップをさらに有し、ストラップが、マスク・ボディに結合されるマスク部分と、マスク部分から延在する上側部分及び下側部分とを有する、第１項から第３２項までの換気マスク。
【０１３１】
第３４項：  ストラップのマスク部分が、分離して上側部分及び下側部分の長さを伸ばすように構成されたミシン目付き分離エリアを有する、第３３項の換気マスク。
【０１３２】
第３５項：  患者用キャビティを画定するマスク・ボディであって、患者用キャビティと流体連通している患者用開口部と、マスク・ボディを通るように形成される少なくとも１つの通気開口部であり、少なくとも１つの通気開口部が患者用キャビティと流体連通しており、少なくとも１つの通気開口部が患者用開口部の概して反対側に配置される、少なくとも１つの通気開口部とを有する、マスク・ボディと、少なくとも１つの通気開口部に隣接して配置される少なくとも１つのガス・フェンスであって、患者用開口部に向けて軸方向に延在する、少なくとも１つのガス・フェンスと、マスク・ボディに結合されるガス・マニホルドであって、ガス・マニホルドがガス・チャネルを画定し、ガス・マニホルドがガス・チャネルと流体連通している複数のガス・ポートを有する、ガス・マニホルドとを有する、換気マスク。
【０１３３】
第３６項：  複数のガス・ポート及び少なくとも１つのガス・フェンスが、患者用キャビティ内で少なくとも１つの通気開口部に隣接する酸素カーテンを形成又は維持するために患者用キャビティ内にカーテン効果のあるガス流れを作り出すように構成され、酸素カーテンが、３０％、４０％、５０％、６０％、７０％、７５％、又は８０％の間の酸素濃度を有する、第３５項の換気マスク。
【０１３４】
第３７項：  複数のガス・ポート及び少なくとも１つのガス・フェンスが、少なくとも１つの通気開口部から離れる方にカーテン効果のあるガス流れを誘導するために患者用キャビティ内にカーテン効果のあるガス流れを作り出すように構成される、第３５項の換気マスク。
【０１３５】
第３８項：  複数のガス・ポートが患者にガスをデリバリーするように構成される、第３５項から第３７項までのいずれか一項の換気マスク。
【０１３６】
第３９項：  少なくとも１つの通気開口部が、横方向において離間される第１及び第２の通気開口部を有し、少なくとも１つのガス・フェンスが、第１の通気開口部に隣接する第１のガス・フェンス、及び第２の通気開口部に隣接する第２のガス・フェンスを有する、第３５項から第３８項までのいずれか一項の換気マスク。
【０１３７】
第４０項：  第１のガス・フェンスが少なくとも部分的に第１の通気開口部の周りを円周状に延在し、第２のガス・フェンスが少なくとも部分的に第２の通気開口部の周りを円周状に延在する、第３９項の換気マスク。
【０１３８】
第４１項：  ガス・チャネルがガス・マニホルド及びマスク・ボディにより協働的に画定される、第３５項から第４０項までのいずれか一項の換気マスク。
【０１３９】
第４２項：  ガス・マニホルドに結合される採取カバーをさらに有する、第３５項から第４１項までのいずれか一項の換気マスク。
【０１４０】
第４３項：  採取カバーが採取チャネルを画定し、採取カバーが、採取チャネルと流体連通している少なくとも１つの採取ポータルを有する、第４２項の換気マスク。
【０１４１】
第４４項：  採取チャネルが、患者用キャビティから少なくとも１つの採取ポータルを通して呼気ガスを引き込むための負圧を受け取る、第４３項の換気マスク。
【０１４２】
第４５項：  少なくとも１つの採取ポータルが、フード、スクープ、又はシュラウドの構造部を有する、第４３項の換気マスク。
【０１４３】
第４６項：  ガス・マニホルドが少なくとも１つの通気開口部及び少なくとも１つの採取ポータルに隣接して配置される少なくとも１つのマニホルド・ガス・フェンスをさらに有し、少なくとも１つのマニホルド・ガス・フェンスが患者用開口部に向けて軸方向に延在する、第４３項の換気マスク。
【０１４４】
第４７項：  少なくとも１つの通気開口部が、採取カバーによって囲まれる下側の通気開口部を有し、少なくとも１つのマニホルド・ガス・フェンスが、少なくとも１つの採取ポータルと複数のベクタード・ガス・ポートとの間に配置される、第４６項の換気マスク。
【０１４５】
第４８項：  少なくとも１つのマニホルド・ガス・フェンスが少なくとも部分的に下側の通気開口部の周りを円周状に延在する、第４７項の換気マスク。
【０１４６】
第４９項：  少なくとも１つの通気開口部が下側の通気開口部を有し、ガス・マニホルドが下側の通気開口部の周りに配置される、第３５項から第４８項までのいずれか一項の換気マスク。
【０１４７】
第５０項：  換気マスクの中にガスを導入する方法であって、複数のガス・ポートを介して換気マスクの患者用キャビティの中にガスを導入することと、カーテン効果のあるガス流れを作り出すために複数のガス・ポートを介してガスを誘導することと、患者用キャビティ内で換気マスクの少なくとも１つの通気開口部に隣接するガス・カーテンを形成することとを含む、方法。
【０１４８】
第５１項：  少なくとも１つの通気開口部に隣接して配置されるガス・フェンスを介して少なくとも１つの通気開口部から離れる方にカーテン効果のあるガス流れを誘導することをさらに含む、第５０項の方法。
【０１４９】
第５２項：  換気マスクのガス・マニホルド及びマスク・ボディにより協働的に画定されるガス・チャネルを介して複数のガス・ポートまでガスを誘導することをさらに含む、第５０項及び第５１項までのいずれか一項の方法。
【０１５０】
第５３項：  患者用キャビティから採取ポータルを介して試料ガス流れを受け取ることをさらに含む、第５０項の方法。
【０１５１】
第５４項：  カーテン効果のあるガス流れを介して採取ポータルに向けて試料ガス流れを誘導することをさらに含む、第５３項の方法。
【０１５２】
第５５項：  ガス・マニホルド上に配置されるマニホルド・ガス・フェンスを介して採取ポータルに向けて試料ガス流れを誘導することをさらに含む、第５３項の方法。
【０１５３】
第５６項：  マニホルド・ガス・フェンスを介して採取ポータルから離れる方にカーテン効果のあるガス流れを誘導することをさらに含む、第５５項の方法。
【０１５４】
第５７項：  ２．０％、２．１％、２．２％、２．３％、２．４％、２．５％、２．６％、２．８％、３．０％、３．２％、３．４％、又は３．５％を超えるパーセンテージの二酸化炭素を有する試料ガス流れを測定することをさらに含む、第５３項の方法。
【０１５５】
第５８項：  換気マスクに結合される変色インジケータを介して二酸化炭素に対する露出を視覚的に表示することをさらに含む、第５０項の方法。
【０１５６】
第５９項：  ４０％、５０％、６０％、７０％、７５％、又は８０％を超える吸気酸素量の割合を有するガスを患者用キャビティ内に提供することをさらに含む、第５０項の方法。
【０１５７】
第６０項：  医療手技を実施するために少なくとも１つの通気開口部を通して患者用キャビティにアクセスすることをさらに含む、第５０項の方法。
【０１５８】
第６１項：  少なくとも１つの通気開口部を通して気管支鏡検査を実施することをさらに含む、第６０項の方法。
【０１５９】
第６２項：  換気マスクの中にガスを導入する方法であって、複数のガス・ポートを介して換気マスクの患者用キャビティの中にガスを導入することと、採取ポータルを介して患者用キャビティから試料ガス流れを受け取ることと、カーテン効果のあるガス流れを作り出すために複数のガス・ポートを介してガスを誘導することと、カーテン効果のあるガス流れを介して採取ポータルに向けて試料ガス流れを誘導することとを含む、方法。
【０１６０】
第６３項：  マニホルド・ガス・フェンスを介して採取ポータルから離れる方にカーテン効果のあるガス流れを誘導することをさらに含む、第６２項の方法。
【０１６１】
第６４項：  ガス・マニホルド上に配置されるマニホルド・ガス・フェンスを介して採取ポータルに向けて試料ガス流れを誘導することをさらに含む、第６２項から第６３項までの方法。
【０１６２】
第６５項：  ２．０％を超えるパーセンテージの二酸化炭素を有する試料ガス流れを測定することをさらに含む、第６２項から第６４項までの方法。
【０１６３】
第６６項：  換気マスクに結合される変色インジケータを介して、二酸化炭素への露出を視覚的に表示することをさらに含む、第６２項から第６５項までの方法。
【０１６４】
第６７項：  ４０％を超える吸気酸素量の割合を有するガスを患者用キャビティ内に提供することをさらに含む、第６２項から第６６項までの方法。
【０１６５】
（さらなる考察）
いくつかの実施例では、本明細書の項のうちの任意の項が、独立項のうちの任意の１つの項又は従属項のうちの任意の１つの項に従属してよい。一態様では、項のうちの任意の項（例えば、従属項又は独立項）が、１つ又は複数の任意の他の項（例えば、従属項又は独立項）と組み合わされ得る。一態様では、請求項が、項、文、フレーズ、又は段落の中に記載される単語（例えば、ステップ、動作、手段、又は構成要素）のうちの一部の単語又はすべての単語を含むことができる。一態様では、請求項が、１つ又は複数の項、文、フレーズ、又は段落の中に記載される単語の一部の単語又はすべての単語を含むことができる。一態様では、各々の項、文、フレーズ、又は段落の中の単語の一部が取り除かれてよい。一態様では、追加の単語又は要素が、項、文、フレーズ又は段落に加えられてよい。一態様では、本主題の技術が、本明細書で説明される、構成要素、要素、機能、又は動作のうちの一部を利用することなく実装され得る。一態様では、本主題の技術が、追加の構成要素、要素、機能、又は動作を利用して実装され得る。
【０１６６】
本開示は、本明細書で説明される種々の態様を当業者が実施するのを可能にするために提供されるものである。本開示は本主題の技術の多様な実例を提供するものであり、本主題の技術はこれらの実例に限定されない。これらの態様に対する多様な変更形態が当業者には容易に明らかとなり、本明細書で定義される一般的な原理が他の態様にも適用され得る。
【０１６７】
単数の要素を参照することは、特に明記しない限り、「唯一」を意味することを意図されず、「１つ又は複数」を意味することを意図される。特に明記しない限り、「いくつかの」という用語は１つ又は複数を意味する。男性の代名詞（例えば、彼の（ｈｉｓ））は女性又は中性（例えば、彼女の（ｈｅｒ）及びその（ｉｔｓ））を含み、逆も同様である。存在する場合の表題及び副題は単に便宜的に使用されるものであり、本発明を限定しない。
【０１６８】
「例示」という単語は、本明細書では、「例又は例証として働く」こと意味するために使用される。「例示」として本明細書で説明されるすべての態様及びデザインは、他の態様又はデザインと比較して好適である又は有利であると必ずしも解釈されるものではない。一態様では、本明細書で説明される多様な代替的構成及び代替的動作は少なくとも等価であるとみなされ得る。
【０１６９】
「態様」などのフレーズは、本主題の技術にとってこのような態様が不可欠であるということ、及び本主題の技術のすべての構成に対してこのような態様が適用されるということ、を暗に意味するものではない。態様に関連する開示はすべての構成に適用され得るか又は１つ又は複数の構成に適用され得る。態様が１つ又は複数の実例を提供することができる。態様などのフレーズは１つ又は複数の態様を意味することができ、逆も同様である。「実施例」などのフレーズは、本主題の技術にとってこのような実施例が不可欠であるということ、及び本主題の技術のすべての構成に対してこのような実施例が適用されるということを暗に意味するものではない。実施例に関連する開示はすべての実施例に適用され得るか又は１つ又は複数の実施例に適用され得る。実施例が１つ又は複数の実例を提供することができる。実施例などのフレーズは１つ又は複数の実施例を意味することができ、逆も同様である。「構成」などのフレーズは、本主題の技術にとってこのような構成が不可欠であるということ、及び本主題の技術のすべての構成に対してこのような構成が適用されるということを暗に意味するものではない。構成に関連する開示はすべての構成に適用され得るか又は１つ若しくは複数の構成に適用され得る。構成が１つ又は複数の実例を提供することができる。構成などのフレーズは１つ又は複数の構成を意味することができ、逆も同様である。
【０１７０】
一態様では、特に明記しない限り、本明細書に記載されるすべての測定値、値、等級、位置、大きさ、サイズ、及び他の仕様は、以下の特許請求の範囲の場合も含めて、概略的なものであり、正確なものではない。一態様では、これらは、それらの関係する機能に矛盾せず且つそれらの関係する技術分野における慣例に矛盾しない妥当な範囲を有することを意図される。
【０１７１】
一態様では、「結合され」などの用語などは直接に結合されるということを意味することができる。別の態様では、「結合され」などの用語などは間接的に結合されるということを意味することができる。
【０１７２】
本開示で使用される場合の「頂部」、「底部」、「前方」、及び「後方」などの用語は、任意の基準系を意味するものとして理解されるべきであり、一般的な重力基準系を意味するものとして理解されるべきではない。したがって、頂部表面、底部表面、前方表面、及び後方表面は、重力基準系において、上方に、下方に、対角線上に、又は水平に、延在することができる。
【０１７３】
本主題の技術の範囲から逸脱することなく、種々のアイテムが多様な形で構成され得る（例えば、多様な順番で配置され得、又は多様な形で分割され得る）。当業者に既知であるか又は今後当業者に知られることになる、本開示を通して説明される種々の態様の要素に対するすべての構造的均等物及び機能的均等物は参照により本明細書に明確に組み込まれ、特許請求の範囲に包含されることを意図される。さらに、本明細書で開示されるものは、このような開示が特許請求の範囲において明確に記載されているかどうかにかかわらず、公開されることを意図されない。特許請求の範囲の要素は、その要素が「のための手段」というフレーズを使用して明確に記載されない限り、また方法クレームの場合にはその要素が「のためのステップ」というフレーズを使用して記載されない限り、米国特許法第１１２条第６段落の規定の下で解釈されるものではない。さらに、「ｉｎｃｌｕｄｅ」又は「ｈａｖｅ」などの用語が使用される範囲においては、これらの用語は、特許請求の範囲において「ｃｏｍｐｒｉｓｅ」が移行語として解釈される場合の「ｃｏｍｐｒｉｓｅ」という用語と同様に包括的であることを意図される。
【０１７４】
発明の名称、背景技術、発明の概要、図面の簡単な説明、及び本開示の要約は、これによって本開示に組み込まれ、本開示の説明的な例として提供され、限定的な説明として提供されない。これは、特許請求の範囲の範囲及び意味を限定するために使用されないということの理解に基づいて提示されるものである。加えて、発明を実施するための形態では、記述が説明のための例を提供し、本開示を簡素化することを目的として種々の特徴が種々の実施例にまとめられているということが分かるであろう。このような開示方法は、特許請求される主題が各々の請求項で明確に記載される特徴より多くの特徴を必要とするというような意図を反映するものとして解釈されるものではない。むしろ、以下の特許請求の範囲で示されるように、発明の主題は、決して、開示される単一の構成又は動作のすべての特徴の中にあるというわけではない。これによって、以下の特許請求の範囲は発明を実施するための形態に組み込まれ、各々の請求項は別個に特許請求される主題として自立する。
【０１７５】
特許請求の範囲は本明細書で説明される態様に限定されることを意図されず、言語による特許請求の範囲（ｌａｎｇｕａｇｅ  ｃｌａｉｍ）に一致する全範囲に従うことを意図され、すべての法的均等物を包含することを意図される。しかし、いずれの請求項も、米国特許法第１０１条、第１０２条、又は第１０３条の要求を満たすのに不十分である主題を含むことを意図されず、そのようなものとして解釈されるべきでもない。
【図１】
2021531863.tif 000003
【図２】
2021531863.tif 000004
【図３】
2021531863.tif 000005
【図４】
2021531863.tif 000006
【図５】
2021531863.tif 000007
【図６】
2021531863.tif 000008
【図７】
2021531863.tif 000009
【図８】
2021531863.tif 000010
【図９】
2021531863.tif 000011
【図１０】
2021531863.tif 000012
【図１１】
2021531863.tif 000013
【図１２】
2021531863.tif 000014
【図１３Ａ】
2021531863.tif 000015
【図１３Ｂ】
2021531863.tif 000016
【図１４】
2021531863.tif 000017
【図１５】
2021531863.tif 000018
【図１６Ａ】
2021531863.tif 000019
【図１６Ｂ】
2021531863.tif 000020
【図１６Ｃ】
2021531863.tif 000021
【図１７】
2021531863.tif 000022
【図１８】
2021531863.tif 000023
【図１９】
2021531863.tif 000024
【図２０Ａ】
2021531863.tif 000025
【図２０Ｂ】
2021531863.tif 000026
【図２０Ｃ】
2021531863.tif 000027
【図２１】
2021531863.tif 000028
【図２２】
2021531863.tif 000029
【国際調査報告】
2021531863.tif 000030
2021531863.tif 000031
2021531863.tif 000032
2021531863.tif 000033